(57)【特許請求の範囲】
【請求項１】
消弧される機械式スイッチと負荷とが直列接続されている直流消弧装置であって、
電圧検出スイッチとコンデンサを含み、
前記電圧検出スイッチと前記コンデンサとが接続され、
前記コンデンサは、前記電圧検出スイッチによって前記負荷と並列接続され、
前記機械式スイッチでの遮断中、前記電圧検出スイッチは、前記機械式スイッチの両端の電位差が５Ｖを超えかつ２０Ｖ以下の区間においてオンになるか、または２０Ｖを超えかつ前記機械式スイッチの動作電圧未満の区間においてオンになり、
前記コンデンサは前記電圧検出スイッチ及び前記負荷を介して放電回路を形成して、前記機械式スイッチの遮断時のアークを消弧することを特徴とする直流消弧装置。
【請求項２】
前記電圧検出スイッチは非自己消弧型スイッチであることを特徴とする請求項１に記載の直流消弧装置。
【請求項３】
前記電圧検出スイッチは２端子回路であることを特徴とする請求項２に記載の直流消弧装置。
【請求項４】
前記コンデンサを充電する充電ユニットをさらに含み、前記充電ユニットと前記電圧検出スイッチとが並列接続されていることを特徴とする請求項３に記載の直流消弧装置。
【請求項５】
前記充電ユニットは、第１ダイオードまたは第１電流制限素子で構成されるか、または第１ダイオードと第１電流制限素子とが直列接続されて構成されることを特徴とする請求項４に記載の直流消弧装置。
【請求項６】
第１電流制限素子をさらに含み、前記コンデンサは前記第１電流制限素子を介して前記機械式スイッチの電源入力端に接続され、前記電圧検出スイッチは３端子回路であり、前記電圧検出スイッチの検出端は前記機械式スイッチの電源入力端または接点ブリッジに接続されていることを特徴とする請求項４に記載の直流消弧装置。
【請求項７】
前記非自己消弧型スイッチはサイリスタを含み、前記サイリスタのトリガ極は前記サイリスタのアノードに接続されているか、または前記サイリスタのトリガ極は前記サイリスタの第２アノードに接続されていることを特徴とする請求項２に記載の直流消弧装置。
【請求項８】
第１半導体デバイスをさらに含み、前記第１半導体デバイスのオン電圧が３Ｖよりも大きく、前記サイリスタのトリガ極は前記第１半導体デバイスを介して前記アノードまたは前記第２アノードに接続されていることを特徴とする請求項７に記載の直流消弧装置。
【請求項９】
前記第１半導体デバイスはツェナーダイオード、TVSダイオード、トリガダイオード、または感圧抵抗であることを特徴とする請求項８に記載の直流消弧装置。
【請求項１０】
第２ダイオードをさらに含み、前記第２ダイオード、前記第１半導体デバイス、及び前記サイリスタのトリガ極が直列接続されていることを特徴とする請求項９に記載の直流消弧装置。
【請求項１１】
前記電圧検出スイッチの検出端と前記電圧検出スイッチの出力端とが絶縁分離されないことを特徴とする請求項２に記載の直流消弧装置。
【請求項１２】
前記電圧検出スイッチは遅延半導体スイッチであることを特徴とする請求項２に記載の直流消弧装置。
【請求項１３】
絶縁材料でデバイスとしてパッケージされることを特徴とする請求項２に記載の直流消弧装置。
【請求項１４】
前記コンデンサを充電するための充電ユニットとともに、絶縁材料でデバイスとしてパッケージされることを特徴とする請求項２に記載の直流消弧装置。
【請求項１５】
消弧される機械式スイッチと負荷とが直列接続されている直流消弧装置であって、
電圧検出スイッチとコンデンサを含み、
前記電圧検出スイッチと前記コンデンサとが接続され、
前記コンデンサは、前記電圧検出スイッチによって前記負荷と並列接続され、
前記機械式スイッチでの遮断中、前記コンデンサは前記電圧検出スイッチ及び前記負荷を介して放電回路を形成して、前記機械式スイッチの遮断時のアークを消弧し、
前記電圧検出スイッチは、制御ユニット及びパワー半導体デバイスで構成され、前記機械式スイッチと前記負荷との接続端の電圧信号が前記制御ユニットに伝達され、前記パワー半導体デバイスと前記制御ユニットとが接続され、
前記機械式スイッチでの遮断中、前記パワー半導体デバイスがオンになり、前記コンデンサから前記パワー半導体デバイスを介して前記負荷に放電することを特徴とする直流消弧装置。
【請求項１６】
前記機械式スイッチでの遮断中、前記制御ユニットは、前記機械式スイッチの接点が開極されたことを検出した場合、遅延の時間が１００μｓを超えるように前記パワー半導体デバイスのオンを遅延制御することを特徴とする請求項１５に記載の直流消弧装置。
【請求項１７】
前記制御ユニットは前記電圧信号のＡ／Ｄ収集を行うことを特徴とする請求項１５に記載の直流消弧装置。
【請求項１８】
前記コンデンサを充電する充電ユニットをさらに含み、前記充電ユニットと前記パワー半導体デバイスとが並列接続され、前記機械式スイッチと前記負荷との接続端から前記充電ユニットを介して前記コンデンサを充電し、前記電圧信号は前記負荷の電圧であることを特徴とする請求項１７に記載の直流消弧装置。
【請求項１９】
前記充電ユニットは、第１ダイオードと第１電流制限素子とが直列接続されて構成され、前記コンデンサの電圧信号は前記制御ユニットに伝達され、前記コンデンサの容量を検出するために用いられることを特徴とする請求項１８に記載の直流消弧装置。
【請求項２０】
前記電圧信号は、前記負荷の電圧、または前記パワー半導体デバイスに対する他端の電圧、または前記機械式スイッチに対する電源入力端の電圧であることを特徴とする請求項１５に記載の直流消弧装置。
【請求項２１】
前記機械式スイッチの制御信号が前記制御ユニットに伝達されるか、または前記制御ユニットの制御信号が前記機械式スイッチに伝達されることを特徴とする請求項１５に記載の直流消弧装置。
【請求項２２】
前記制御ユニットは、適応制御プログラムを記憶し、前記電圧信号に応じて、消弧制御パラメータを最適化することを特徴とする請求項１５に記載の直流消弧装置。
【請求項２３】
消弧される機械式スイッチと負荷とが直列接続されている直流消弧装置であって、
電圧検出スイッチとコンデンサを含み、
前記電圧検出スイッチと前記コンデンサとが接続され、
前記コンデンサは、前記電圧検出スイッチによって前記負荷と並列接続され、
前記機械式スイッチでの遮断中、前記コンデンサは前記電圧検出スイッチ及び前記負荷を介して放電回路を形成して、前記機械式スイッチの遮断時のアークを消弧し、
前記電圧検出スイッチは、制御ユニット及びパワー半導体デバイスで構成され、前記機械式スイッチと前記負荷との接続端の電圧信号が前記制御ユニットに伝達され、前記パワー半導体デバイスと前記制御ユニットとが接続され、
前記機械式スイッチでの遮断中、前記パワー半導体デバイスがオンになり、前記コンデンサから前記パワー半導体デバイスを介して前記負荷に放電し、
前記機械式スイッチの数は、第１機械式スイッチ及び第２機械式スイッチを含む少なくとも２つであり、
前記負荷の数は、第１負荷及び第２負荷を含む少なくとも２つであり、
前記パワー半導体デバイスの数は、第１パワー半導体デバイス及び第２パワー半導体デバイスを含む少なくとも２つであることを特徴とする直流消弧装置。
【請求項２４】
消弧される機械式スイッチと負荷とが直列接続されている直流消弧装置であって、
電圧検出スイッチとコンデンサを含み、
前記電圧検出スイッチと前記コンデンサとが接続され、
前記コンデンサは、前記電圧検出スイッチによって前記負荷と並列接続され、
前記機械式スイッチでの遮断中、前記コンデンサは前記電圧検出スイッチ及び前記負荷を介して放電回路を形成して、前記機械式スイッチの遮断時のアークを消弧し、
前記電圧検出スイッチは、制御ユニット及びパワー半導体デバイスで構成され、前記機械式スイッチと前記負荷との接続端の電圧信号が前記制御ユニットに伝達され、前記パワー半導体デバイスと前記制御ユニットとが接続され、
前記機械式スイッチでの遮断中、前記パワー半導体デバイスがオンになり、前記コンデンサから前記パワー半導体デバイスを介して前記負荷に放電し、
前記コンデンサを充電する充電ユニットをさらに含み、前記充電ユニットは少なくとも充電用スイッチを含み、前記制御ユニットの制御信号が前記充電用スイッチに伝達されることを特徴とする直流消弧装置。
【請求項２５】
前記機械式スイッチの主回路電源は前記充電用スイッチを介して前記コンデンサを充電することを特徴とする請求項２４に記載の直流消弧装置。
【請求項２６】
前記機械式スイッチの閉動作中、前記制御ユニットは前記充電用スイッチ、及び前記パワー半導体デバイスがオンになるように制御し、その後、前記機械式スイッチが閉じられ、前記機械式スイッチでの遮断動作中、前記充電用スイッチがオフ状態にあることを特徴とする請求項２４に記載の直流消弧装置。
【請求項２７】
第４半導体スイッチをさらに含み、前記第４半導体スイッチの制御端は前記制御ユニットに接続され、前記コンデンサと前記第４半導体スイッチは第２直列接続回路を構成し、前記コンデンサは前記第４半導体スイッチ、前記パワー半導体デバイス、及び前記負荷を介して放電回路を形成することを特徴とする請求項２４に記載の直流消弧装置。
【請求項２８】
第３ダイオードをさらに含み、前記機械式スイッチの主回路電源は前記充電用スイッチ、及び前記第３ダイオードを介して前記コンデンサを充電することを特徴とする請求項２７に記載の直流消弧装置。
【請求項２９】
第５半導体デバイスをさらに含み、前記機械式スイッチの入力電源端はバッテリに接続され、前記バッテリに充電用機械式スイッチが接続され、前記充電用機械式スイッチでの遮断中、前記コンデンサから前記第４半導体スイッチ、及び前記第５半導体デバイスを介して前記バッテリに放電して、前記充電用機械式スイッチの遮断時のアークを消弧し、前記第５半導体デバイスは、第５ダイオードであるか、または前記制御ユニットに接続される第５単方向サイリスタであることを特徴とする請求項２７に記載の直流消弧装置。
【請求項３０】
前記第２直列接続回路と、前記充電用スイッチと、前記パワー半導体デバイスとが接続された共通端の電圧信号は、前記制御ユニットに接続されることを特徴とする請求項２７に記載の直流消弧装置。
【請求項３１】
前記機械式スイッチの制御信号が前記制御ユニットに伝達されるか、または前記制御ユニットの制御信号が前記機械式スイッチに伝達されることを特徴とする請求項２４に記載の直流消弧装置。
【請求項３２】
前記制御ユニットは、前記機械式スイッチでの遮断の状態において発弧を検出した場合、前記パワー半導体デバイスがオンになるように制御することを特徴とする請求項２４に記載の直流消弧装置。
【請求項３３】
第５単方向サイリスタをさらに含み、前記第５単方向サイリスタは前記制御ユニットに接続され、前記機械式スイッチの入力電源端はバッテリに接続され、前記バッテリに充電用機械式スイッチが接続され、前記充電用機械式スイッチでの遮断中、前記コンデンサから前記第５単方向サイリスタを介して前記バッテリに放電して、前記充電用機械式スイッチの遮断時のアークを消弧することを特徴とする請求項２４に記載の直流消弧装置。
【請求項３４】
前記機械式スイッチの数は、第１機械式スイッチ及び第２機械式スイッチを含む少なくとも２つであり、
前記負荷の数は、第１負荷及び第２負荷を含む少なくとも２つであり、
前記パワー半導体デバイスの数は、第１パワー半導体デバイス及び第２パワー半導体デバイスを含む少なくとも２つであることを特徴とする請求項２４に記載の直流消弧装置。
【請求項３５】
前記機械式スイッチでの遮断中、前記制御ユニットは、前記機械式スイッチの接点が開極されたことを検出した場合、遅延の時間が１００μｓを超えるように前記パワー半導体デバイスのオンを遅延制御し、前記制御ユニットは、前記負荷の電流に関するパラメータを記憶するか、または前記負荷の電流に関するパラメータが入力され、前記機械式スイッチでの遮断動作中、前記負荷の電流が大きいほど前記遅延の時間を長くすることを特徴とする請求項３２に記載の直流消弧装置。
【発明の詳細な説明】
【技術分野】
【０００１】
本発明は、直流消弧装置に関し、特に、機械式スイッチなどの機械接点に対して急速にアークを消弧するのに適する直流消弧装置に関し、他の遮断点（例えば、ヒューズの溶断、コンセントに対するプラグの抜き差し、導線の断線点）に対する消弧にも適用できる。
【背景技術】
【０００２】
現在、新エネルギー車、軌道交通、艦船などの直流電気制御システムにおいて、一般に、接触器（リレー）などの機械式スイッチで負荷の投入および遮断を制御する。直流では、零点がないため、遮断時に強力なアークが発生し、機械式スイッチのコストが高く（高圧接触器）、電気的寿命が短いという欠点がある。機械式スイッチは、図１のあるブランドの高圧接触器の遮断電圧（すなわち、アーク遮断電圧）に対する電気的寿命のグラフに示すように、遮断電圧が大きくなるにつれて、機械式スイッチの電気的寿命が大幅に低下する。
【発明の概要】
【０００３】
本発明は、従来の直流電気制御システムにおいて機械式スイッチの電気的寿命が短いという問題を解決し、消弧効果が良く、機械式スイッチの遮断電圧（アーク遮断電圧）を低下させ、消弧速度が速い直流消弧装置を提供することを目的とする。
【０００４】
本発明の目的は、以下の技術の手段により達成される。
【０００５】
消弧される機械式スイッチと負荷とが直列接続されている直流消弧装置であって、電圧検出スイッチとコンデンサを含み、前記電圧検出スイッチと前記コンデンサとが接続され、前記機械式スイッチでの遮断中、前記コンデンサは前記電圧検出スイッチ及び前記負荷を介して放電回路を形成して、前記機械式スイッチの遮断時のアークを消弧する。
【０００６】
直流消弧装置であって、前記電圧検出スイッチは、前記機械式スイッチの両端の電位差が５Ｖを超えかつ２０Ｖ以下の区間においてオンになるか、または２０Ｖを超えかつ前記機械式スイッチの動作電圧未満の区間においてオンになる。
【０００７】
直流消弧装置であって、前記機械式スイッチでの遮断中、前記コンデンサと前記負荷との電位差が５Ｖ以上である場合、前記電圧検出スイッチがオンになる。
【０００８】
直流消弧装置であって、前記電圧検出スイッチは前記機械式スイッチの発弧後にオンになる。
【０００９】
直流消弧装置であって、前記機械式スイッチでの遮断中、前記電圧検出スイッチは、前記機械式スイッチの接点間の開離距離に対する破壊電圧が前記機械式スイッチの動作電圧よりも大きい場合、オンになる。
【００１０】
直流消弧装置であって、前記電圧検出スイッチは非自己消弧型スイッチである。
【００１１】
直流消弧装置であって、前記電圧検出スイッチは２端子回路である。
【００１２】
直流消弧装置であって、前記コンデンサを充電する充電ユニットをさらに含み、前記充電ユニットと前記電圧検出スイッチとが並列接続されている。
【００１３】
直流消弧装置であって、前記充電ユニットは、第１ダイオードまたは第１電流制限素子で構成されるか、または第１ダイオードと第１電流制限素子とが直列接続されて構成される。
【００１４】
直流消弧装置であって、第１電流制限素子をさらに含み、前記コンデンサは前記第１電流制限素子を介して前記機械式スイッチの電源入力端に接続され、前記電圧検出スイッチは３端子回路であり、前記電圧検出スイッチの検出端は前記機械式スイッチの電源入力端または接点ブリッジに接続されている。
【００１５】
直流消弧装置であって、前記非自己消弧型スイッチはサイリスタを含み、前記サイリスタのトリガ極は前記サイリスタのアノードに接続されているか、または前記サイリスタのトリガ極は前記サイリスタの第２アノードに接続されている。
【００１６】
直流消弧装置であって、第１半導体デバイスをさらに含み、前記第１半導体デバイスのオン電圧が３Ｖよりも大きく、前記サイリスタのトリガ極は前記第１半導体デバイスを介して前記アノードまたは前記第２アノードに接続されている。
【００１７】
直流消弧装置であって、前記第１半導体デバイスはツェナーダイオード、TVSダイオード、トリガダイオード、または感圧抵抗である。
【００１８】
直流消弧装置であって、第２ダイオードをさらに含み、前記第２ダイオード、前記第１半導体デバイス、及び前記サイリスタのトリガ極が直列接続されている。
【００１９】
直流消弧装置であって、前記電圧検出スイッチの検出端と前記電圧検出スイッチの出力端とが絶縁分離されない。
【００２０】
直流消弧装置であって、前記電圧検出スイッチは遅延半導体スイッチである。
【００２１】
直流消弧装置であって、絶縁材料でデバイスとしてパッケージされる。
【００２２】
直流消弧装置であって、前記コンデンサを充電するための充電ユニットとともに、絶縁材料でデバイスとしてパッケージされる。
【００２３】
直流消弧装置であって、前記電圧検出スイッチは、制御ユニット及びパワー半導体デバイスで構成され、前記機械式スイッチと前記負荷との接続端の電圧信号が前記制御ユニットに伝達され、前記パワー半導体デバイスと前記制御ユニットとが接続され、前記機械式スイッチでの遮断中、前記パワー半導体デバイスがオンになり、前記コンデンサから前記パワー半導体デバイスを介して前記負荷に放電する。
【００２４】
直流消弧装置であって、前記機械式スイッチでの遮断中、前記制御ユニットは、前記機械式スイッチの接点が開極されたことを検出した場合、遅延の時間が１００μｓを超えるように前記パワー半導体デバイスのオンを遅延制御する。
【００２５】
直流消弧装置であって、前記制御ユニットは前記電圧信号のＡ／Ｄ収集を行う。
【００２６】
直流消弧装置であって、前記コンデンサを充電する充電ユニットをさらに含み、前記充電ユニットと前記パワー半導体デバイスとが並列接続され、前記機械式スイッチと前記負荷との接続端から前記充電ユニットを介して前記コンデンサを充電し、前記電圧信号は前記負荷の電圧である。
【００２７】
直流消弧装置であって、前記充電ユニットは、第１ダイオードと第１電流制限素子とが直列接続されて構成され、前記コンデンサの電圧信号は前記制御ユニットに伝達され、前記コンデンサの容量を検出するために用いられる。
【００２８】
直流消弧装置であって、前記電圧信号は、前記負荷の電圧、または前記パワー半導体デバイスに対する他端の電圧、または前記機械式スイッチに対する電圧入力端の電圧である。
【００２９】
直流消弧装置であって、前記パワー半導体デバイスは非自己消弧型デバイスである。
【００３０】
直流消弧装置であって、前記機械式スイッチの制御信号が前記制御ユニットに伝達されるか、または前記制御ユニットの制御信号が前記機械式スイッチに伝達される。
【００３１】
直流消弧装置であって、前記制御ユニットは、適応制御プログラムを記憶し、前記電圧信号または前記パワー半導体デバイスの前記負荷との接続端に対する他端の電圧信号の変化に応じて、消弧制御パラメータを最適化する。
【００３２】
直流消弧装置であって、前記コンデンサを充電する充電ユニットをさらに含み、前記充電ユニットは少なくとも充電用スイッチを含み、前記制御ユニットの制御信号が前記充電用スイッチに伝達される。
【００３３】
直流消弧装置であって、前記機械式スイッチの主回路電源は前記充電用スイッチを介して前記コンデンサを充電する。
【００３４】
直流消弧装置であって、前記充電用スイッチは、第１半導体スイッチであるか、または第４機械式スイッチであるか、または第４機械式スイッチと第１半導体スイッチとが直列接続されて構成され、前記第１半導体スイッチは非自己消弧型デバイスである。
【００３５】
直流消弧装置であって、第１電流制限素子をさらに含み、前記充電用スイッチと前記第１電流制限素子とが直列接続されている。
【００３６】
直流消弧装置であって、前記機械式スイッチの閉動作中、前記制御ユニットは前記充電用スイッチ、及び前記パワー半導体デバイスがオンになるように制御し、その後、前記機械式スイッチが閉じられ、前記機械式スイッチでの遮断動作中、前記充電用スイッチがオフ状態にある。
【００３７】
直流消弧装置であって、第４半導体スイッチをさらに含み、前記第４半導体スイッチは非自己消弧型デバイスであり、前記第４半導体スイッチの制御端は前記制御ユニットに接続され、前記コンデンサと前記第４半導体スイッチは第２直列接続回路を構成し、前記コンデンサは前記第４半導体スイッチ、前記パワー半導体デバイス、及び前記負荷を介して放電回路を形成する。
【００３８】
直流消弧装置であって、第３ダイオードをさらに含み、前記機械式スイッチの主回路電源は前記充電用スイッチ、及び前記第３ダイオードを介して前記コンデンサを充電する。
【００３９】
直流消弧装置であって、第５半導体デバイスをさらに含み、前記機械式スイッチの入力電源端はバッテリに接続され、前記バッテリに充電用機械式スイッチに接続され、前記充電用機械式スイッチでの遮断中、前記コンデンサから前記第４半導体スイッチ、及び前記第５半導体デバイスを介して前記バッテリに放電して、前記充電用機械式スイッチの遮断時のアークを消弧し、前記第５半導体デバイスは、第５ダイオードであるか、または前記制御ユニットに接続される第５単方向サイリスタである。
【００４０】
直流消弧装置であって、前記充電用スイッチ、及び前記パワー半導体デバイスは非自己消弧型スイッチであり、前記第２直列接続回路と、前記充電用スイッチと、前記パワー半導体デバイスとが接続された共通端の電圧信号は、前記制御ユニットに接続される。
【００４１】
直流消弧装置であって、前記パワー半導体デバイスの動作状態を検出する。
【００４２】
直流消弧装置であって、前記コンデンサの容量を検出し、前記コンデンサは第１電流制限素子に直列接続され、前記第１電流制限素子は抵抗である。
【００４３】
直流消弧装置であって、前記充電用スイッチの動作状態を検出する。
【００４４】
直流消弧装置であって、前記第４半導体スイッチの動作状態を検出する。
【００４５】
直流消弧装置であって、前記機械式スイッチの制御信号が前記制御ユニットに伝達されるか、または前記制御ユニットの制御信号が前記機械式スイッチに伝達される。
【００４６】
直流消弧装置であって、前記制御ユニットは、前記機械式スイッチでの遮断の状態において発弧を検出した場合、前記パワー半導体デバイスがオンになるように制御する。
【００４７】
直流消弧装置であって、第５単方向サイリスタをさらに含み、前記第５単方向サイリスタは前記制御ユニットに接続され、前記機械式スイッチの入力電源端はバッテリに接続され、前記バッテリに充電用機械式スイッチが接続され、前記充電用機械式スイッチの遮断中、前記コンデンサから前記第５単方向サイリスタを介して前記バッテリに放電して、前記充電用機械式スイッチの遮断時のアークを消弧する。
【００４８】
直流消弧装置であって、前記機械式スイッチは、それぞれが第１機械式スイッチ及び第２機械式スイッチであるとの２つの機械式スイッチを少なくとも含み、前記負荷は、それぞれが第１負荷及び第２負荷であるとの２つの負荷を少なくとも含み、前記パワー半導体デバイスは、それぞれが第１パワー半導体デバイス及び第２パワー半導体デバイスであるとの２つのパワー半導体デバイスを少なくともを含む。
【００４９】
直流消弧装置であって、前記機械式スイッチは３つの機械式スイッチを含み、前記負荷は３つの負荷を含み、前記パワー半導体デバイスは３つのパワー半導体デバイスを含む。
【００５０】
直流消弧装置であって、前記第１負荷と前記第２負荷は前記第１機械式スイッチの負荷である。
【００５１】
直流消弧装置であって、前記充電用スイッチは第４機械式スイッチを含み、前記充電用スイッチにさらに第１電流制限素子が直列接続され、前記制御ユニットの制御信号は前記第４機械式スイッチの制御端に接続されている。
【００５２】
直流消弧装置であって、前記機械式スイッチでの遮断中、前記制御ユニットは、前記機械式スイッチの接点が開極されたことを検出した場合、遅延の時間が１００μｓを超えるように前記パワー半導体デバイスのオンを遅延制御し、前記制御ユニットは、前記負荷の電流に関するパラメータを記憶するか、または前記負荷の電流に関するパラメータが入力しされ、前記機械式スイッチでの遮断動作中、前記負荷の電流が大きいほど前記遅延の時間を長くする。
【００５３】
直流消弧装置であって、前記制御ユニットは、前記負荷の電流に関するパラメータを記憶するか、または前記負荷の電流に関するパラメータが入力され、前記機械式スイッチでの遮断動作中、前記負荷の電流が大きいほど、前記コンデンサと前記負荷との電圧差が大きい状態において、前記パワー半導体デバイスをオンにさせる。
【００５４】
直流消弧装置であって、前記制御ユニットは、適応制御プログラムを記憶し、前記電圧信号または前記パワー半導体デバイスの前記負荷との接続端に対する他端の電圧信号の変化に応じて、消弧制御パラメータを最適化する。
【００５５】
動作原理：機械式スイッチでの遮断中、コンデンサは電圧検出スイッチ、及び負荷を介して放電回路を形成し、負荷の両端の電圧が上昇し、機械式スイッチの接点間の電界強度が急速に低下し、機械式スイッチに対してアークを急速に消弧するという目的を達成する（すなわち、アークなしの遮断、またはアーク時間が極めて短い遮断という目的を達成する）。
【００５６】
本発明の設計が合理的であり、消弧効果が良く、機械式スイッチの遮断電圧を低下させ、消弧速度が速いという利点がある。
【図面の簡単な説明】
【００５７】
【図１】図１は、背景技術に係わるあるブランドの高圧接触器の遮断電圧に対する電気的寿命のグラフである。
【図２】図２は、本発明の直流消弧装置の実施例１の回路原理図である。
【図３】図３は、本発明の直流消弧装置の実施例２の回路原理図である。
【図４】図４は、本発明の直流消弧装置の実施例３の回路原理図である。
【図５】図５は、本発明の直流消弧装置の実施例４の回路原理図である。
【図６】図６は、本発明の直流消弧装置の電圧検出スイッチの遅延回路図である。
【図７】図７は、本発明の直流消弧装置のパッケージ模式図１である。
【図８】図８は、本発明の直流消弧装置のパッケージ模式図２である。
【図９】図９は、本発明の直流消弧装置の実施例５の回路原理図である。
【図１０】図１０は、本発明の直流消弧装置の実施例６の回路原理図である。
【発明を実施するための形態】
【００５８】
本発明の直流消弧装置の実施例１は、図２に示すとおりである。
【００５９】
消弧される機械式スイッチＫ１と負荷ＲＬ１とが直列接続されている直流消弧装置であって、電圧検出スイッチＡとコンデンサＣ１を含み、電圧検出スイッチＡとコンデンサＣ１とが接続され、機械式スイッチＫ１での遮断中、コンデンサＣ１は電圧検出スイッチＫ１及び負荷ＲＬ１を介して放電回路を形成して、機械式スイッチＫ１の遮断時のアークを消弧する。
【００６０】
電圧検出スイッチＡは、コンデンサＣ１と負荷ＲＬ１との電位差を検出するためのものであり、サイリスタＴＲ１（双方向サイリスタ）と、第１半導体デバイスＺ１（ツェナーダイオード）を含み、サイリスタＴＲ１のトリガ極は第１半導体デバイスＺ１を介してサイリスタＴＲ１の第２アノードに接続されている。
【００６１】
動作原理：機械式スイッチＫ１が閉じられると、それをトリガとして、電圧検出スイッチＡがオンになり、コンデンサＣ１が充電される。機械式スイッチＫ１での遮断中、コンデンサＣ１端と負荷ＲＬ１との電位差が電圧検出スイッチＡのオン電圧よりも大きい場合（当該電位差は機械式スイッチＫ１の両端の電位差と略等しく、オン電圧は第１半導体デバイスＺ１により決められる）、それをトリガとして、サイリスタＴＲ１がオンになり、コンデンサＣ１からサイリスタＴＲ１を介して負荷ＲＬ１に急速に放電する。これによって、負荷ＲＬ１の両端の電圧が上昇し、機械式スイッチＫ１の接点間の電界強度が急速に低下し、機械式スイッチＫ１に対してアークを急速に消弧するという目的を達成する。
【００６２】
本実施例において、電圧検出スイッチＡに双方向サイリスタが採用されて、充電時及び放電時の両方に使用できる。回路が簡単でコストが低いという利点がある。
【００６３】
本発明の直流消弧装置の実施例２は、図３に示すとおりである。
【００６４】
直流消弧装置であって、電圧検出スイッチＡと、コンデンサＣ１と、充電ユニットＢを含み、充電ユニットＢと電圧検出スイッチＡとが並列接続されている。電圧検出スイッチＡは、コンデンサＣ１と負荷ＲＬ１との電位差を検出するためのものであり、サイリスタＳＣＲ１（単方向サイリスタ）と、第１半導体デバイスＺ１（ツェナーダイオード）と、第２ダイオードＤ２を含み、サイリスタＳＣＲ１のトリガ極は第２ダイオードＤ２（逆電圧による回路への影響を防ぐために使用される）、及び第１半導体デバイスＺ１を介してサイリスタＳＣＲ１のアノードに接続されている。
【００６５】
充電ユニットＢは、第１ダイオードＤ１と第１電流制限素子Ｒ１（抵抗）とが直列接続されて構成される。実際の状況に応じて、第１電流制限素子Ｒ１または第１ダイオードＤ１のみで構成されてもよい。
【００６６】
動作原理：機械式スイッチＫ１が閉じられると、機械式スイッチＫ１の主回路電源から充電ユニットＢを介してコンデンサＣ１を充電する。機械式スイッチＫ１での遮断中、コンデンサＣ１端と負荷ＲＬ１との電位差が電圧検出スイッチＡのオン電圧よりも大きい場合、それをトリガとして、サイリスタＳＣＲ１がオンになり、コンデンサＣ１からサイリスタＳＣＲ１を介して負荷ＲＬ１に急速に放電する。これによって、負荷ＲＬ１の両端の電圧が上昇し、機械式スイッチＫ１の接点間の電界強度が急速に低下し、機械式スイッチＫ１に対してアークを急速に消弧するという目的を達成する。
【００６７】
本実施例において、電圧検出スイッチＡに単方向サイリスタが採用される。電流上昇レートに対する耐性が高く、信頼性がよいという利点がある。また、充電ユニットＢが採用され、機械式スイッチＫ１が閉じられる時に電流による衝撃が低いという利点がある。
【００６８】
上記２つの実施例において、電圧検出スイッチＡは、２端子回路であり、かつ、半導体デバイスで構成される非自己消弧型スイッチであり、回路が簡単でコストが低いという利点がある。コンデンサＣ１の充電電源が機械式スイッチＫ１と負荷ＲＬ１との接続端から供給される。これによって、機械式スイッチＫ１の両端の絶縁耐圧に影響しなく、機械式スイッチＫ１のノーマルオープン状態において漏れ電流がないという利点がある。
【００６９】
本発明の直流消弧装置の実施例３は、以下のとおりである。
【００７０】
直流モータの正逆転において消弧制御を行う場合、図４に示すように、関連する素子の数およびイネーブル端を適宜増やせばよく、動作原理が同一であるので、詳しい説明を省略する。
【００７１】
本発明の直流消弧装置の実施例４は、図５に示すとおりである。
【００７２】
直流消弧装置であって、電圧検出スイッチＡと、コンデンサＣ１と、第１電流制限素子Ｒ１（抵抗、充電ユニットＢ）を含み、コンデンサＣ１は第１電流制限素子Ｒ１を介して機械式スイッチＫ１の電源入力端に接続され、電圧検出スイッチＡの検出端は機械式スイッチＫ１の電源入力端（機械式スイッチＫ１がブリッジ構造の場合、機械式スイッチＫ１の接点ブリッジであってもよい。、第２コンデンサＣ２は必要に応じて選択されてもよい）に接続されている。
【００７３】
電圧検出スイッチＡは、３端子回路であり、かつ非自己消弧型スイッチであり、容量結合により信号が入力され、サイリスタＴＲ１（双方向サイリスタである。単方向サイリスタを採用してもよい）と、第１半導体デバイスＺ１（ツェナーダイオードである）と、第２コンデンサＣ２で構成され、機械式スイッチＫ１の両端の電位差（ブリッジ構造、すなわち、2つの遮断点の構造である場合、接点ブリッジと固定接点との間の電位差であってもよい）を検出するためのものである。
【００７４】
動作原理：機械式スイッチＫ１の電源入力端に電源が投入された後、直流電源から第１電流制限素子Ｒ１を介してコンデンサＣ１を満充電する。機械式スイッチＫ１が閉じられると、コンデンサＣ２は第１半導体デバイスＺ１、機械式スイッチＫ１を介して放電回路を形成する。機械式スイッチＫ１のバウンスが発生する場合、それをトリガとして、サイリスタＴＲ１がオンになり、コンデンサＣ１からサイリスタＴＲ１を介して負荷ＲＬ１に放電して、機械式スイッチＫ１が閉じられる時のバウンスに対してアークを消弧するという目的を達成する。機械式スイッチＫ１での遮断中、機械式スイッチＫ１の両端の電位差が電圧検出スイッチＡのオン電圧よりも大きい場合、それをトリガとして、サイリスタＴＲ１がオンになり、コンデンサＣ１からサイリスタＴＲ１を介して負荷ＲＬ１に急速に放電する。これによって、負荷ＲＬ１の両端の電圧が上昇し、機械式スイッチＫ１の接点間の電界強度が急速に低下し、機械式スイッチＫ１に対してアークを急速に消弧するという目的を達成する。
【００７５】
実施例４において、コンデンサＣ１は、電解コンデンサが採用されてもよく、第１電流制限素子Ｒ１を介して機械式スイッチＫ１の電源入力端に接続され、電圧検出スイッチＡは、検出端が機械式スイッチＫ１の電源入力端（または、接点ブリッジ）に接続される。実施例４によければ、機械式スイッチＫ１が閉じられる時のバウンスに対してアークを消弧することができ、また、コンデンサＣ１が満充電された後に行われ、電力消費がなくなるという利点がある。
【００７６】
上記実施例１、２、３、４において、第１半導体デバイスＺ１について、オン電圧を３Ｖよりも大きくする必要があり（システムリップル電圧のピークピーク値よりも大きくする必要がある）、TVSダイオード（Ｔｒａｎｓｉｅｎｔ Ｖｏｌｔａｇｅ Ｓｕｐｐｒｅｓｓｏｒ）、トリガダイオード、または感圧抵抗などの等価デバイスを採用してもよい。オン電圧が５Ｖよりも大きいサイリスタを採用する場合、第１半導体デバイスＺ１は使用状況の必要に応じて選択されてもよい。
【００７７】
機械式スイッチＫ１での遮断中、電流を制限するためにサイリスタのトリガ極に抵抗を直列接続する必要がない。これによって、サイリスタのトリガ速度を上げ、サイリスタがオンになるまでのコンデンサの電荷の損失を減らし、コンデンサの容量の利用率を向上させることができる。上記実施例において、電圧検出スイッチＡの検出端と電圧検出スイッチＡの出力端とが絶縁分離されず、コンデンサの充電電源が機械式スイッチの主回路電源から電気絶縁（電流を制限する）されずに供給されることで、コストが低いという利点がある。
【００７８】
実際の使用時、電圧検出スイッチＡの第１半導体デバイスＺ１において図６のような遅延回路または類似の遅延回路が採用されてもよい。この場合、電圧検出スイッチは、オン遅延スイッチとなる。これによって、機械式スイッチＫ１に対して十分な開離距離でアークを消弧することを確保でき、アーク消弧後の再発弧を防止することができる。オン遅延スイッチのオン遅延時間は１００μｓよりも大きいように制御されることが好ましい。
【００７９】
普及と使用を促進し、標準化、バッチ化を図り、汎用デバイスになるために、上記実施例における直流消弧装置は、絶縁材料でデバイスとしてパッケージされてもよく、２ポートまたは３ポートとすることができる。充電ユニット（または、第１電流制限素子）は、必要に応じて外装（外装時、３ポートとなり、そのうちの１ポートはコンデンサとパワー半導体デバイスとが接続される端点である）も内蔵も可能であり、円形構造（図７に示す）または方形構造（図８に示す）を採用することができる。
【００８０】
本発明の直流消弧装置の実施例５は、図９に示すとおりである。
【００８１】
直流消弧装置であって、電圧検出スイッチＡと、コンデンサＣ１と、充電ユニットＢを含む。
【００８２】
電圧検出スイッチＡは、制御ユニットＣ及びパワー半導体デバイスＳＣＲ１（非自己消弧型デバイス、単方向サイリスタ）で構成される。機械式スイッチＫ１と負荷ＲＬ１との接続端の電圧信号が制御ユニットＣに伝達される。パワー半導体デバイスＳＣＲ１が制御ユニットＣに接続される。機械式スイッチＫ１での遮断中、パワー半導体デバイスＳＣＲ１がオンになり、コンデンサＣ１からパワー半導体デバイスＳＣＲ１を介して負荷ＲＬ１に放電する。Ｊ１ポートは制御電源端であり、Ｊ２ポートは、制御命令およびデータを受信し、本装置および外部の状態情報（例えば、機械式スイッチ、負荷の状態など）を転送するための通信ポートであり、Ｊ１、Ｊ２は必要に応じて選択されてもよい。
【００８３】
制御ユニットＣにおいて、プログラマブルデバイス（マイクロコントローラ）が内蔵され、負荷ＲＬ１の電圧のＡ／Ｄ収集を行う。コンデンサＣ１の電圧信号は制御ユニットＣに伝達され、コンデンサＣ１の容量を検出するために用いられる。機械式スイッチＫ１の制御信号は制御ユニットＣに伝達される（必要に応じて選択される）。機械式スイッチＫ１の制御信号が制御ユニットＣから与えられるという制御方法を採用してもよい（必要に応じて選択される）。制御ユニットＣは、負荷ＲＬ１の電流に関するパラメータを記憶するか、または負荷ＲＬ１の電流に関するパラメータが入力される。機械式スイッチＫ１での遮断動作中、機械式スイッチＫ１の接点が開極されたことを検出した場合、負荷ＲＬ１の電流が大きいほど遅延の時間が長くなり、遅延の時間が負荷ＲＬ１の電流に正比例するように、パワー半導体ＳＣＲ１のオンを遅延制御する。機械式スイッチＫ１での遮断動作中、負荷ＲＬ１の電流が大きいほど、コンデンサＣ１と負荷ＲＬ１との電圧差が大きい状態において、パワー半導体デバイスＳＣＲ１をオンにさせる。これによって、コンデンサＣ１から放電する電流を高め、消弧の効果を向上させる。
【００８４】
充電ユニットＢは、パワー半導体デバイスＳＣＲ１に並列接続され、機械式スイッチＫ１と負荷ＲＬ１との接続端から充電ユニットＢを介してコンデンサＣ１を充電する。充電ユニットＢは、第１ダイオードＤ１と第１電流制限素子Ｒ１とが直列接続されて構成されてもよく、第１ダイオードＤ１または第１電流制限素子Ｒ１のみで構成されてもよい。パワー半導体デバイスＳＣＲ１として、双方向サイリスタが採用される場合、充電ユニットＢは必要に応じて選択されてもよい。
【００８５】
動作原理：機械式スイッチＫ１が閉じられると、機械式スイッチＫ１の主回路電源から充電ユニットＢを介してコンデンサＣ１を充電し、制御ユニットＣはコンデンサＣ１への充電の速度によって、コンデンサＣ１の容量を把握する（コンデンサの容量が正常であるか否かを判断し、収集した電圧信号データに応じて消弧制御プログラムを最適化するために用いられる）。機械式スイッチＫ１での遮断中、制御ユニットＣは、機械式スイッチＫ１の接点が開極されたことを検出した場合、パワー半導体ＳＣＲ１のオンを遅延させるように制御するか（遅延の時間に１００μｓを超えさせるか、または、これに加えて、制御ユニットＣが設定する電圧値を満たさせる。遅延の時間の値は機械式スイッチＫ１の遮断速度によって決定されてよい）、または機械式スイッチＫ１と負荷ＲＬ１との接続端の電圧信号が設定された電圧値に達したことを検出した場合（または、これに加えて、制御ユニットＣが設定する時間の値を満たし、当該時間の値は機械式スイッチＫ１の遮断速度によって決定されてよい）、パワー半導体デバイスＳＣＲ１がオンになるように制御することにより、コンデンサＣ１からパワー半導体デバイスＳＣＲ１を介して負荷ＲＬ１に急速に放電する。これによって、負荷ＲＬ１の両端の電圧が急速に上昇し、機械式スイッチＫ１の接点間の電界強度が急速に低下し、機械式スイッチＫ１に対してアークを急速に消弧するという目的を達成する。
【００８６】
実施例５において、機械式スイッチＫ１と負荷ＲＬ１との接続端の電圧信号は、負荷ＲＬ１の両端の電圧信号であってもよいし、コンデンサＣ１と負荷ＲＬ１との電位差（すなわち、パワー半導体デバイスＳＣＲ１の両端間の電位差）であってもよい。電圧検出スイッチＡに単方向サイリスタが採用され、電流上昇レートに対する耐性が高く、信頼性がよいという利点がある。また、充電ユニットＢが採用され、機械式スイッチＫ１が閉じられる時に電流による衝撃が低いという利点がある。コンデンサＣ１の充電電源が機械式スイッチＫ１と負荷ＲＬ１との接続端から供給され、機械式スイッチＫ１の両端の絶縁耐圧に影響しなく、機械式スイッチＫ１のノーマルオープン状態において漏れ電流がないという利点がある。制御ユニットＣは、適応制御プログラムを記憶する場合、機械式スイッチＫ１での遮断中、機械式スイッチＫ１と負荷ＲＬ１との接続端の電圧信号、またはパワー半導体デバイスＳＣＲ１と負荷ＲＬ１との接続端に対する他端（すなわち、コンデンサＣ１とパワー半導体デバイスＳＣＲ１との接続端）の電圧信号の変化に応じて、消弧制御のパラメータを最適化する（すなわち、パワー半導体デバイスのオンと機械式スイッチの接点の開極との時間差を調整し、制御する）ことにより、最適な消弧効果を図る。制御ユニットは、制御プログラムのインテリジェントユニットが内蔵されたプログラマブルデバイスを含み、タイミング、Ａ／Ｄ収集、電圧比較、ロジック処理などを行うことができる。これによって、回路の簡素化に有利であり、負荷の異なる状況（電圧変化）に応じて制御方法を調整することができ、消弧効果を向上させ、機械式スイッチの電気的寿命を効果的に延ばすことができる。発弧状況および動作回数に基づいて機械式スイッチの電気的寿命を計算することができ、補助用接点を使用せずに、機械式スイッチＫ１の接点状態（閉極状態、開極状態、発弧状態）をリアルタイムに検出し、関連情報を転送することができる。
【００８７】
本発明の直流消弧装置の実施例６は、図１０に示すとおりである。
【００８８】
新エネルギー車などのマルチチャンネルの機械式スイッチを使用した電気制御システムに適用する直流消弧装置（すなわち、直流アーク管理システム）であって、電圧検出スイッチＡと、コンデンサＣ１と、充電ユニットＢと、第３ダイオードＤ３と、第４半導体スイッチＳＣＲ４（非自己消弧型デバイスであり、単方向サイリスタである。ＰＡとＰＢとの間は必要に応じて切断されてもよいが、推奨しない。ＰＡとＰＢとの間が切断された場合、制御ユニットＣによりＰＡとＰＢの端点電圧を収集する必要がある）を含み、第３ダイオードＤ３と第４半導体スイッチＳＣＲ４とが並列接続され、第４半導体スイッチＳＣＲ４の制御端が制御ユニットＣに接続される。コンデンサＣ１と第４半導体スイッチＳＣＲ４で構成された第２直列接続回路と、充電ユニットＢの第１半導体スイッチＳ１（非自己消弧型デバイス、単方向サイリスタ、充電用スイッチ）と、パワー半導体デバイス（ＳＣＲ１、ＳＣＲ２、ＳＣＲ３、非自己消弧型デバイスと、単方向サイリスタ）とが接続された共通端ＰＢの電圧信号は制御ユニットＣに接続され、機械式スイッチＫ１（メイン正極接触器）の入力電源端がバッテリＢＴに接続され、バッテリＢＴに充電用機械式スイッチＫ５が接続され、バッテリＢＴの負極が第６機械式スイッチＫ６（メイン負極接触器）を介してグラウンドに接続される。当該直流消弧装置は、第５半導体デバイスＤ５（第５ダイオードである。制御ユニットＣに接続される第５単方向サイリスタに換えられてもよい。第５単方向サイリスタが採用される場合、第４半導体スイッチＳＣＲ４は必要に応じて選択されてもよい。充電用機械式スイッチＫ５での遮断中、コンデンサＣ１から第５単方向サイリスタを介してバッテリＢＴに放電して、充電用機械式スイッチＫ５での遮断時のアークを消弧する）をさらに含む。Ｊ１ポートは制御電源端であり、Ｊ２ポートは、制御命令およびデータを受信し、本装置および外部の状態情報（例えば、機械式スイッチ、負荷の状態など）を転送するための通信ポートであり、Ｊ１、Ｊ２は必要に応じて選択されてもよい。
【００８９】
電圧検出スイッチＡは、制御ユニットＣ及びパワー半導体デバイス（ＳＣＲ１、ＳＣＲ２、ＳＣＲ３）で構成され、機械式スイッチ（Ｋ１、Ｋ２、Ｋ３、Ｋ５）と負荷（ＲＬ１、ＲＬ２、ＲＬ３、ＢＴ）との接続端の電圧信号は制御ユニットＣに伝達され、パワー半導体デバイス（ＳＣＲ１、ＳＣＲ２、ＳＣＲ３）は制御ユニットＣに接続されている。
【００９０】
制御ユニットＣにおいて、プログラマブルデバイス（マイクロコントローラ）が内蔵され、負荷（ＲＬ１、ＲＬ２、ＲＬ３）の電圧および共通端ＰＢの電圧信号のＡ／Ｄ収集を行う。機械式スイッチＫ１の入力電源端の電圧信号は制御ユニットＣに接続される（Ａ／Ｄ収集）。機械式スイッチ（Ｋ１、Ｋ２、Ｋ３）での遮断動作中、機械式スイッチ（Ｋ１、Ｋ２、Ｋ３）の接点が開極されたことを検出した場合、パワー半導体デバイス（ＳＣＲ１、ＳＣＲ２、ＳＣＲ３）のオンを遅延させるように制御する。制御ユニットＣに接続される機械式スイッチ（Ｋ１、Ｋ２、Ｋ３）および負荷（ＲＬ１、ＲＬ２、ＲＬ３）の電気的特性は必ずしも同じではないので、最適な消弧効果を取得するために、制御ユニットＣは、負荷（ＲＬ１、ＲＬ２、ＲＬ３）の電流に関するパラメータを記憶するか、または、負荷（ＲＬ１、ＲＬ２、ＲＬ３）の電流に関するパラメータまたは機械式スイッチ（Ｋ１、Ｋ２、Ｋ３）の動作時間のパラメータが入力される必要がある。機械式スイッチ（Ｋ１、Ｋ２、Ｋ３）での遮断動作中、負荷（ＲＬ１、ＲＬ２、ＲＬ３）の電流が大きいほど遅延の時間を長くし、遅延の時間を負荷（ＲＬ１、ＲＬ２、ＲＬ３）の電流に正比例させる。遅延制御における時間パラメータは、制御ユニットＣに内蔵されたマイクロコントローラによって設定されることができる。機械式スイッチ（Ｋ１、Ｋ２、Ｋ３、Ｋ５、Ｋ６）の制御信号は制御ユニットＣに伝達される（消弧の正確性、リアルタイム性の向上に有利であり、必要に応じて選択される）。機械式スイッチ（Ｋ１、Ｋ２、Ｋ３、Ｋ５、Ｋ６）の制御信号が制御ユニットＣから与えられるという制御方法を採用してもよい（各機械式スイッチの動作ロジック、消弧制御ロジックの最適化制御に有利であり、必要に応じて選択される）。
【００９１】
機械式スイッチ（Ｋ１、Ｋ２、Ｋ３）での遮断動作中、負荷（ＲＬ１、ＲＬ２、ＲＬ３）の電流が大きいほどコンデンサＣ１と負荷（ＲＬ１、ＲＬ２、ＲＬ３）との電圧差が大きい状態において、パワー半導体デバイス（ＳＣＲ１、ＳＣＲ２、ＳＣＲ３）をオンにさせて、コンデンサＣ１から放電する電流を高める。
【００９２】
充電ユニットＢは、第４機械式スイッチＫ４と、第１電流制限素子Ｒ１（抵抗である。第３ダイオードＤ３に電流制限素子が直列接続される場合、及び負荷が非容量性負荷である場合、省略されてもよい）と、第１半導体スイッチＳ１（非自己消弧型デバイス、単方向サイリスタ）を含み、第４機械式スイッチＫ４と第１半導体スイッチＳ１は充電用スイッチであり、制御ユニットＣの制御信号は直列接続されて使用された第４機械式スイッチＫ４及び第１半導体スイッチＳ１に伝達される。第１半導体スイッチＳ１は、第４機械式スイッチＫ４の閉じられる時のアークを消すためのものであり、第４機械式スイッチＫ４は、システムの安全性を高めるためのものであり、実際の工学的応用では、第４機械式スイッチＫ４又は第１半導体スイッチＳ１のいずれかを選択してもよい。機械式スイッチＫ１の主回路電源（機械式スイッチＫ１の主回路電源端）から第４機械式スイッチＫ４、第１電流制限素子Ｒ１、第１半導体スイッチＳ１、及び第３ダイオードＤ３（双方向サイリスタを第４半導体スイッチＳＣＲ４として採用する場合、必要に応じて選択されてもよい）を介してコンデンサＣ１を充電する。
【００９３】
動作原理：機械式スイッチＫ６が閉じられて、機械式スイッチＫ１の電源入力端に電源が投入された後（バッテリＢＴを投入した後）、制御ユニットＣは、先ず第４機械式スイッチＫ４が閉じられるように制御する。その後、制御ユニットＣはパルス信号をトリガとして与えて第１半導体スイッチＳ１をオンにさせて、コンデンサＣ１を充電し、充電電流が第１半導体スイッチＳ１のオン保持可能な最小電流よりも小さくなると、第１半導体スイッチＳ１が自動的にオフになる。コンデンサＣ１を充電する全過程において、制御ユニットＣは、共通端ＰＢ点の電圧を検出することにより、第１半導体スイッチＳ１がオンまたはオフ状態となることを把握し、コンデンサＣ１の充電が完了したか否かを判断し、コンデンサＣ１の容量（コンデンサの容量が正常であるか否かを判断し、収集した電圧信号データに応じて消弧制御プログラムを最適化することに用いられる）を把握することはできる。機械式スイッチ（Ｋ１、Ｋ２、Ｋ３）の閉動作中、制御ユニットＣはパルス信号をトリガとして与えて第１半導体スイッチＳ１およびパワー半導体デバイス（ＳＣＲ１、ＳＣＲ２、ＳＣＲ３のいずれか１つ）をオンにさせて、負荷（ＲＬ１、ＲＬ２、ＲＬ３のいずれか１つ）に給電する（例えば、モータコントローラ、直流コンバータなどに給電する）。これによって、機械式スイッチ（Ｋ１、Ｋ２、Ｋ３）に対して容量性負荷による電流衝撃および閉じられる時のアークを効果的に消すことができる。制御ユニットＣは、共通端ＰＢ点の電圧を検出することにより、第１半導体スイッチＳ１およびパワー半導体デバイス（ＳＣＲ１、ＳＣＲ２、ＳＣＲ３）がオフになるか否かを把握でき、オフになると、機械式スイッチ（Ｋ１、Ｋ２、Ｋ３）の閉動作が完成したことを示す。
【００９４】
機械式スイッチ（Ｋ１、Ｋ２、Ｋ３）での遮断中、第１半導体スイッチＳ１がオフ状態にあり、制御ユニットＣは、機械式スイッチ（Ｋ１、Ｋ２、Ｋ３）の接点が開極されたことを検出した場合、第４半導体スイッチＳＣＲ４、及びパワー半導体デバイス（ＳＣＲ１、ＳＣＲ２、ＳＣＲ３）のオンを遅延させるように制御するか（内蔵されたマイクロコントローラによって遅延の時間に１００μｓを超えさせるか、または、これに加えて、制御ユニットＣが設定する電圧値を満たさせる。遅延の時間の値は対応する機械式スイッチの遮断速度によって決定されてよい）、または機械式スイッチ（Ｋ１、Ｋ２、Ｋ３）と負荷（ＲＬ１、ＲＬ２、ＲＬ３）との接続端の電圧信号が設定された電圧値に達したことを検出した場合（または、これに加えて、制御ユニットＣが設定する時間の値を満たし、当該時間の値は対応する機械式スイッチの遮断速度によって決定されてよい）、第４半導体スイッチＳＣＲ４、及びパワー半導体デバイス（ＳＣＲ１、ＳＣＲ２、ＳＣＲ３）がオンになるように制御する。制御ユニットＣは、共通端ＰＢ点の電圧を検出することにより、第４半導体スイッチＳＣＲ４、及びパワー半導体デバイス（ＳＣＲ１、ＳＣＲ２、ＳＣＲ３）がオン状態にあるか否かを把握できる。コンデンサＣ１から第４半導体スイッチＳＣＲ４、及びパワー半導体デバイス（ＳＣＲ１、ＳＣＲ２、ＳＣＲ３）を介して負荷（ＲＬ１、ＲＬ２、ＲＬ３）に急速に放電する。負荷（ＲＬ１、ＲＬ２、ＲＬ３）の両端の電圧が上昇し、機械式スイッチ（Ｋ１、Ｋ２、Ｋ３）の接点間の電界強度が急速に低下し、機械式スイッチ（Ｋ１、Ｋ２、Ｋ３）に対してアークを急速に消弧するという目的を達成する。制御ユニットＣは、共通端ＰＢ点の電圧を検出することにより、第４半導体スイッチＳＣＲ４、及びパワー半導体デバイス（ＳＣＲ１、ＳＣＲ２、ＳＣＲ３）がオフ状態にあるか否かを把握して、コンデンサＣ１の放電が完了したか否かを判断し、コンデンサＣ１への次回の充電のために準備をすることができる。
【００９５】
充電用機械式スイッチＫ５での遮断中、制御ユニットＣは、第４半導体スイッチＳＣＲ４がオンになるように制御して、コンデンサＣ１から第４半導体スイッチＳＣＲ４、第５半導体デバイスＤ５、及び第４機械式スイッチＫ４を介してバッテリＢＴに放電し、充電用機械式スイッチＫ５の遮断時のアークを消弧する。
【００９６】
制御ユニットＣにより共通端ＰＢの電圧信号のＡ／Ｄ収集（または、ハイローレベル収集）を行うことは以下の利点がある。
【００９７】
１、単一の端点に対して高解像度せずにＡ／Ｄ収集を行うことにより、第４半導体スイッチＳＣＲ４、第５半導体デバイスＤ５、第１半導体スイッチＳ１、パワー半導体デバイス（ＳＣＲ１、ＳＣＲ２、ＳＣＲ３）のオン状態、オフ状態（充電または放電が完了したか否か）、破壊状態を急速かつ正確に検出でき、システムの応答速度と安全性を確保することができる。
【００９８】
２、コンデンサＣ１の電気エネルギーを消費することなくコンデンサＣ１の容量を検出し、コンデンサＣ１を頻繁に充電する必要がない。また、コンデンサＣ１の両端の電圧を間接的に把握することにより、システムの応答速度と安全性を向上させることができる。
【００９９】
負荷（ＲＬ１、ＲＬ２、ＲＬ３）は、モータコントローラ、ＤＣ／ＤＣコンバータ、モータ、抵抗などの負荷であってもよい。
【０１００】
上述した機械式スイッチ（Ｋ１、Ｋ２、Ｋ３）と負荷（ＲＬ１、ＲＬ２、ＲＬ３）との接続端の電圧信号は負荷（ＲＬ１、ＲＬ２、ＲＬ３）の両端の電圧である（制御ユニットＣにより電圧信号のＡ／Ｄ収集を行う場合、機械式スイッチＫ１の両端の絶縁耐圧に影響しなく、機械式スイッチＫ１のノーマルオープン状態において漏れ電流がないという利点がある）。電圧信号はコンデンサＣ１と負荷（ＲＬ１、ＲＬ２、ＲＬ３）との電位差、すなわち、パワー半導体デバイス（ＳＣＲ１、ＳＣＲ２、ＳＣＲ３）に対する他端の電圧であってもよく、または機械式スイッチ（Ｋ１、Ｋ２、Ｋ３）に対する電源入力端の電圧であってもよい。
【０１０１】
機械式スイッチでの遮断中、電圧信号の変化速度が制御ユニットＣが設定する変化速度よりも小さい場合、制御ユニットＣは、かかるパワー半導体デバイスがオンになるような制御信号を与えない。これによって、コンデンサＣ１の放電が遅く過ぎ、パワー半導体デバイス（ＳＣＲ１、ＳＣＲ２、ＳＣＲ３）が遅くオフになって、他の機械式スイッチに対する消弧の応答速度に影響を及ぼすことを防止する。制御ユニットＣは、負荷の残留電圧の変化に関するパラメータを記憶する場合、機械式スイッチでの遮断に対する検出の正確性の向上に有利である。制御ユニットＣは、適応制御プログラムを記憶する場合、機械式スイッチ（Ｋ１、Ｋ２、Ｋ３）での遮断中、機械式スイッチ（Ｋ１、Ｋ２、Ｋ３、Ｋ５）と負荷（ＲＬ１、ＲＬ２、ＲＬ３）との接続端の電圧信号、またはパワー半導体デバイス（ＳＣＲ１、ＳＣＲ２、ＳＣＲ３）と負荷（ＲＬ１、ＲＬ２、ＲＬ３）との接続端に対する他端（ＰＢ）の電圧信号の変化に応じて、消弧制御のパラメータを最適化することにより（すなわち、パワー半導体デバイスのオンと機械式スイッチの接点の開極との時間差を調整し、制御する）、最適な消弧効果を取得する。
【０１０２】
機械式スイッチＫ１、機械式スイッチＫ２、機械式スイッチＫ３をそれぞれ第１機械式スイッチ、第２機械式スイッチ、第３機械式スイッチと定義する。
【０１０３】
負荷ＲＬ１、負荷ＲＬ２、負荷ＲＬ３をそれぞれ第１負荷、第２負荷、第３負荷と定義する。
【０１０４】
パワー半導体デバイスＳＣＲ１、パワー半導体デバイスＳＣＲ２、パワー半導体デバイスＳＣＲ３をそれぞれ第１パワー半導体デバイス、第２パワー半導体デバイス、第３パワー半導体デバイスと定義する。
【０１０５】
本実施例において、第２負荷と第３負荷は第１機械式スイッチ（機械式スイッチＫ１）の負荷である。
【０１０６】
新エネルギー車などのマルチチャンネルの機械式スイッチに対してアークを消弧する場合、第４機械式スイッチＫ４はプリチャージ接触器であり、第１電流制限素子Ｒ１はプリチャージ抵抗であり、第１機械式スイッチ（機械式スイッチＫ１）はメイン正極接触器であり、第６機械式スイッチＫ６はメイン負極接触器である。消弧失敗の場合、第６機械式スイッチＫ６により遮断するように制御する。制御ユニットＣは、異常（例えば、第１半導体スイッチの破壊または誤オン、パワー半導体デバイスの破壊または誤オン）を検出した場合、第４機械式スイッチＫ４により遮断するように制御する。第６機械式スイッチＫ６及び第４機械式スイッチＫ４以外、本発明の直流消弧装置の消弧対象となる機械式スイッチ（Ｋ１、Ｋ２、Ｋ３、Ｋ５）として、一般的な（非密閉型高電圧）接触器を採用してもよい。これによって、コストを大幅に低減させることができ、安全性の向上（空気漏れのリスクなし）を図ることができる。特に、移動しかつ予期しない機械的衝撃（衝突、横転など）の発生可能性がある自動車などに適用する場合、機械式スイッチ（Ｋ１、Ｋ２、Ｋ３）はノーマルオープン状態において予期せずに閉じられたり遮断したりするか、または開離距離が小さくなるか、または機械式スイッチ（Ｋ１、Ｋ２、Ｋ３）の両端に衝撃電圧が発生する可能性があり、この場合、発弧が発生する可能性がある。制御ユニットＣは、機械式スイッチ（Ｋ１、Ｋ２、Ｋ３）により遮断する状態において発弧を検出した場合、パワー半導体デバイス（ＳＣＲ１、ＳＣＲ２、ＳＣＲ３）がオンになるように制御し、コンデンサからパワー半導体デバイス（ＳＣＲ１、ＳＣＲ２、ＳＣＲ３）、及び負荷（ＲＬ１、ＲＬ２、ＲＬ３）を介して放電回路を形成して、アークを消弧する。制御ユニットＣは、消弧失敗を検出した場合、機械式スイッチＫ６により遮断するように制御するための信号を出力する。
【０１０７】
本実施例において、制御ユニットは、制御プログラムのインテリジェントユニットが内蔵されたプログラマブルデバイスを含み、負荷（ＲＬ１、ＲＬ２、ＲＬ３）のそれぞれの異なる状況に応じて制御方法を調整することができ、消弧効果を向上させ、機械式スイッチの電気的寿命を効果的に延ばすことができる。そして、タイミング（パワー半導体デバイスの遅延制御）、Ａ／Ｄ収集、電圧比較、ロジック処理などを行うことができ、回路の簡素化に有利である。共通しているコンデンサ、制御ユニット、及び充電用スイッチによりマルチチャンネルの機械式スイッチ（機械式スイッチは互いに直列接続の関係にあってもよい）に対する消弧制御、プリチャージ（または、機械式スイッチが閉じられる時にアークを消弧する）および検出（閉極状態、開極状態、発弧状態）を行い、発弧状況および動作回数に基づいて機械式スイッチの電気的寿命を計算し、関連情報（故障コードなど）を転送する。これによって、電気制御システムの全体的な安全性の向上に有利であり、より高いコストパフォーマンスを有し、アーク管理および消弧機能を有する直流消弧装置（直流アーク管理システム）として、新エネルギー車、軌道交通、艦船、航空、自動化制御などの分野で広く使用できる。
【０１０８】
実際の状況に応じて、コンデンサＣ１と第４半導体スイッチを複数設置してもよく、これによって、応答速度を上げることができる。そして、マルチパルス消弧の方法を採用することができる（２つまたは２つ以上のコンデンサの場合、２つまたは２つ以上のパルスに分けて機械式スイッチに対してアークを消弧する）。充電ユニットＢは、スイッチング電源でコンデンサＣ１を充電してもよい。
【０１０９】
実施例５、６において、制御ユニットＣは、トランスによりパワー半導体デバイスをトリガすることが推奨される。制御ユニットＣは、適応制御プログラムを記憶し、機械式スイッチでの遮断中、機械式スイッチと負荷との接続端の電圧信号の電圧変化レートに応じてパワー半導体デバイスのオンと機械式スイッチの接点の開極との時間差を調整する。変化レートが小さいとは、遮断電流が大きいことを意味する。この場合、時間差を大きくすることにより、機械式スイッチの接点間の開離距離を大きくして機械式スイッチのアーク消弧能力を強くする。さらに、コンデンサの放電による消弧と組み合わせることにより、アークを安定して確実に消弧するという目的を達成する。
【０１１０】
上記実施例において、電圧検出スイッチの電気パラメータとして、以下の要件を参考にして選択できる。
【０１１１】
１、機械式スイッチの動作電圧が高くない（２００Ｖ以下）場合、またはコンデンサの容量が大きい場合、電圧検出スイッチは、機械式スイッチの両端の電位差が５Ｖを超えかつ２０Ｖ以下の区間においてオンになる（コンデンサ容量が十分に大きい場合、電圧値を適宜小さくしてもよい）ように設計されてもよい。
【０１１２】
２、機械式スイッチの動作電圧が高い（２００Ｖを超える）場合、またはコンデンサの容量が小さい場合、または放電回路の内部抵抗が大きい場合、電圧検出スイッチ（パワー半導体デバイス）は、機械式スイッチでの遮断中、機械式スイッチの両端の電圧が２０Ｖを超えかつ機械式スイッチの動作電圧未満の区間においてオンになるように設計されてもよい。機械式スイッチでの遮断の期間において、機械式スイッチの両端の電圧が０〜２０Ｖの区間において電圧上昇レートが高く、機械式スイッチの接点間の開離距離が小さいからである。そして、機械式スイッチの動作電圧の１／２未満であるほうが好ましい。また、電圧検出スイッチは、機械式スイッチでの遮断中、コンデンサと負荷との電位差が５Ｖ以上である場合オンになるようにする。これによって、機械式スイッチの大きい開離距離および大きい放電電流を取得し、消弧の信頼性を高める。
【０１１３】
３、電圧検出スイッチは機械式スイッチの発弧後にオンになるようにする。理由は以下のとおりである。機械式スイッチでの遮断中、機械式スイッチの発弧前に、機械式スイッチの両端の電圧変化レートが大きく、機械式スイッチの接点間の開離距離が非常に小さいので、アークを安定して消弧し、アークなしの遮断の目的を達成するために、大きい容量のコンデンサが必要となる。電圧検出スイッチがオンになった後、１００μｓ以内にアークを消弧するようにする（時間が長すぎると、非常に大きい容量のコンデンサが必要となり、消弧の安定性が低下する）。
【０１１４】
４、機械式スイッチでの遮断中、電圧検出スイッチは、機械式スイッチの接点間の開離距離に対する破壊電圧が機械式スイッチの動作電圧よりも大きい場合、オンになるようにする。電圧検出スイッチのオンを遅延させることによって目的を達成することができる。電圧検出スイッチが機械式スイッチの接点が開極されたことを検出した場合に電圧検出スイッチの遅延回路（例えば、制御ユニットのマイクロコントローラ、または抵抗コンデンサトランジスタの遅延回路）によりパワー半導体デバイスに対する遅延制御を行うか、または電圧検出スイッチが機械式スイッチの両端に高い電圧があることを検出した場合に電圧検出スイッチをオンにさせる（すなわち、高オン電圧の電圧検出スイッチを採用する）ことにより、遅延を実現することができ、消弧後の再発弧を効果的に防止し、必要なコンデンサの容量が非常に小さいという利点がある。パラメータについて、機械式スイッチでの遮断速度、コンデンサの容量、機械式スイッチの動作電圧、負荷の特性に応じて調整可能である。
【０１１５】
上記実施例において、パワー半導体デバイスの電流上昇レートの許容範囲内で、放電回路のインダクタンスおよび内部抵抗をできるだけ低減させ、コンデンサの放電電流の上昇レートを上げることにより、必要なコンデンサの容量を減らすことができる。パワー半導体デバイスとして、１８０Ａ／μｓを超える単方向サイリスタ（複数を並列で使用可能）を採用することができる。放電回路の内部抵抗により、パワー半導体デバイスを安全的な範囲内で動作させ、消弧の速度および消弧の信頼性を向上させる。
【０１１６】
上記実施例において、機械式スイッチは接触器（リレー）であり、本発明において、消弧対象となるいかなる機械的な遮断点、例えば、ヒューズ、コネクタなどを機械式スイッチと定義してもよい。
【０１１７】
以上より、本発明は以下の利点がある。
【０１１８】
１、電圧検出スイッチを採用しているので、回路が簡単である。コンデンサと負荷との電位差が大きい場合、電圧検出スイッチがオンになる。これによって、コンデンサの放電回路の内部抵抗の影響を解消し、コンデンサの瞬時放電電流を増加させ、必要なコンデンサ容量を減らすのに有利である。コンデンサの容量が小さいので、第１電流制限素子に必要なパワーが小さく、応答速度が速く（すなわち、充放電速度が速い。この点は、マルチチャンネルの機械式スイッチに対するアーク消弧の応答速度の向上にとって非常に重要である。コンデンサを３０μＦに設計し、第１電流制限素子を３３Ωに設計して、数十Ａから数百Ａの負荷の機械式スイッチに対してアークを消弧する場合、１０ｍｓ以内にコンデンサの充放電による消弧の全過程を完成させることができる。図１０に示すような技術の手段によれば、１ｓ以内に数十個乃至１００個以上の機械式スイッチに対してアークを消弧することができる）、コストが低く、体積が小さく、信頼性が高いという利点がある。８００Ｖ・５００Ａの負荷に対して、数十μＦのコンデンサであれば、数μｓから数十μｓの期間内（１００μｓ以内）にアークを急速に消弧できる。
【０１１９】
２、非自己消弧型デバイス（スイッチ）は自己消弧型デバイスに比べて、過負荷耐量が大きく、オンの時間が短く、コストが低く、電流がゼロクロスでオフになり、遮断過電圧が発生しないという利点があり、数百Ａ以上の負荷に対する消弧の問題を経済的に解決している（定格動作電流２５Ａの単方向サイリスタを用いて数百Ａ以上の電流に対してアークを消弧することができる）。
【０１２０】
３、負荷と並列接続されてアークを消弧する方法であり、より柔軟に使用することができ、コンデンサ放電でアークを消弧するので、負荷の遮断による過電圧を効果的に解消できる。
【０１２１】
４、電圧変動の場合、電圧検出スイッチがオンにならず、電圧検出スイッチの温度の上昇がなく、コンデンサの電気的寿命が長くなる。
【０１２２】
５、制御コイルなしの手動制御スイッチ、ストロークスイッチなどの機械式スイッチに対してアークを消弧することができ、適用範囲が広い。
【０１２３】
６、機械式スイッチの遮断電圧（アーク遮断電圧）を小さくし、機械式スイッチの電気的寿命を大幅に延ばすことができる（図１に示すように、機械式スイッチの両端の動作電圧を６００Ｖとし、３００Ａの負荷電流を遮断する場合、電気的寿命は約１５０回である。一方では、機械式スイッチを本発明の直流消弧装置とともに使用することにより、電圧検出スイッチのオン値を９０Ｖに設計し、すなわち、機械式スイッチで９０Ｖ／３００Ａの直流を遮断する場合、機械式スイッチの電気的寿命は２万回以上に達することができる）。
【図１】
0006901811.tif 000002
【図２】
0006901811.tif 000003
【図３】
0006901811.tif 000004
【図４】
0006901811.tif 000005
【図５】
0006901811.tif 000006
【図６】
0006901811.tif 000007
【図７】
0006901811.tif 000008
【図８】
0006901811.tif 000009
【図９】
0006901811.tif 000010
【図１０】
0006901811.tif 000011